(57)【要約】【課題】装飾シートによる装飾性を安定的に維持できる筆記具を提供する。【解決手段】本願に開示する筆記具は、写真、画像、図柄、文字、及び絵柄の少なくとも１つが表面に形成された装飾シートＳを支持する支持部２を備える。支持部は、台板部材１０と、カバー部材２０と、アーム部材３０とを備える。台板部材は、装飾シートの背面５と対向する台面１１を有する。カバー部材２０は、筒状の周壁部２１、環状板部２２、及び、係合部２３を有し、台面の一部分を覆う。周壁部は、台板部材の外周面に対向する内周面を有する。環状板部は、周壁部の一端側に連設され周壁部の内周側に突出する。係合部は、台板部材に係合する。そして、アーム部材は、筆記具本体に沿って延びており、台板部材と筆記具本体とを連結する。【選択図】図２
0003214857.tif 000002
【実用新案登録請求の範囲】
【請求項１】
写真、画像、図柄、文字、及び絵柄の少なくとも１つが表面に形成された装飾シートを支持する支持部を備える筆記具であって、
前記支持部は、
前記装飾シートの背面と対向する台面を有する台板部材と、
前記台板部材の外周面に対向する内周面を有する筒状の周壁部、前記周壁部の一端側に連設され前記周壁部の内周側に突出する環状板部、及び、前記台板部材に係合する係合部を有し、前記台面の一部分を覆うカバー部材と、
筆記具本体に沿って延びており、前記台板部材と前記筆記具本体とを連結するアーム部材
を備える筆記具。
【請求項２】
前記台板部材は、前記外周面に１又は複数の凹部を有し、
前記係合部は、前記１又は複数の凹部に嵌合可能に前記周壁部の前記内周面に形成された１又は複数の凸部である請求項１に記載の筆記具。
【請求項３】
前記アーム部材は、一端側で前記台板部材の前記外周面に接続され、他端側で前記筆記具本体に接続されており、
前記周壁部は、前記アーム部材を通す切欠き部を有する、請求項１又は２に記載の筆記具。
【考案の詳細な説明】
【技術分野】
【０００１】
本考案は、筆記具に関するものである。
【背景技術】
【０００２】
ボールペンなどの筆記具として、特許文献１には、装飾用の台板を備える筆記具が記載されている。当該台板には、プリントシールなどの装飾シートが糊付けされる。また、当該台板は、装飾シートの視認性を高めるために、筆記具を胸ポケットに留めるクリップに取り付けられる。
【先行技術文献】
【特許文献】
【０００３】
【特許文献１】特開平１０−２４７０６０号公報
【考案の概要】
【考案が解決しようとする課題】
【０００４】
しかしながら、特許文献１に記載の筆記具においては、装飾シートが台板に糊付けされるために、台板から装飾シートが剥がれることも考えられ、装飾シートによる装飾性を安定的に維持できないことが懸念される。
【０００５】
本考案は上記課題に鑑みてなされたものであり、その目的は、装飾シートによる装飾性を安定的に維持できる筆記具を提供することにある。
【課題を解決するための手段】
【０００６】
本願に開示する筆記具は、写真、画像、図柄、文字、及び絵柄の少なくとも１つが表面に形成された装飾シートを支持する支持部を備える。前記支持部は、台板部材と、カバー部材と、アーム部材とを備える。前記台板部材は、前記装飾シートの背面と対向する台面を有する。前記カバー部材は、筒状の周壁部、環状板部、及び、係合部を有し、前記台面の一部分を覆う。前記周壁部は、前記台板部材の外周面に対向する内周面を有する。前記環状板部は、前記周壁部の一端側に連設され前記周壁部の内周側に突出する。前記係合部は、前記台板部材に係合する。そして、前記アーム部材は、筆記具本体に沿って延びており、前記台板部材と前記筆記具本体とを連結する。
【０００７】
本願に開示する筆記具において、前記台板部材は、前記外周面に１又は複数の凹部を有する。そして、前記係合部は、前記１又は複数の凹部に嵌合可能に前記周壁部の前記内周面に形成された１又は複数の凸部である。
【０００８】
本願に開示する筆記具において、前記アーム部材は、一端側で前記台板部材の前記外周面に接続され、他端側で前記筆記具本体に接続される。そして、前記周壁部は、前記アーム部材を通す切欠き部を有する。
【考案の効果】
【０００９】
本考案の筆記具によれば、カバー部材の環状板部がカバー部材の周壁部における内周側に突出し、カバー部材の係合部が台板部材に係合する。従って、カバー部材によって、装飾シートを安定的に保持することができ、装飾シートによる装飾性を安定的に維持できる。
【図面の簡単な説明】
【００１０】
【図１】実施形態に係る筆記具を示す斜視図である。
【図２】実施形態に係る支持部を示す分解斜視図である。
【図３】実施形態に係る支持部を示す断面図である。
【図４】実施形態に係るカバー部材を示す斜視図である。
【考案を実施するための形態】
【００１１】
以下、本考案の実施形態に係る筆記具を図面に基づいて詳しく説明する。なお、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１２】
〈実施形態〉
［基本原理］
図１〜図３を参照して、本考案の実施形態に係る筆記具の基本原理を説明する。図１は、実施形態に係る筆記具を示す斜視図である。図２は、実施形態に係る支持部を示す分解斜視図である。図３は、実施形態に係る支持部を示す断面図である。
【００１３】
図１に示すように、実施形態に係る筆記具は、筆記具本体１と、支持部２とを備えている。支持部２は、装飾シートＳを支持する。装飾シートＳは、写真、画像、図柄、文字、及び絵柄の少なくとも１つが表面に形成される。写真、画像、図柄、文字、及び絵柄は、二次元的なものに限らず、凹凸のある三次元的なものであってもよい。筆記具本体１は、例えばボールペンであり、軸筒３を備える。軸筒３は、図示しないインク収容管及びノック機構を収容する。また、軸筒３は、ペン先が突出可能な先端部３ａ、把持部３ｂ、軸筒本体部３ｃ、及び上端部３ｄを備える。上端部３ｄは、ノックキャップ６が突出可能に形成される。なお、筆記具本体１は、シャープペンシル、鉛筆、万年筆であってもよい。また、支持部２は、図２に示すように、台板部材１０と、カバー部材２０と、アーム部材３０とを備えている。
【００１４】
台板部材１０は、図２に示すように、装飾シートＳの背面５と対向する台面１１を有する。また、台板部材１０は、外周面１２を有する。外周面１２は、台面１１に対して略垂直である。台板部材１０の形状は概略円形である。カバー部材２０は、図２に示すように、筒状の周壁部２１と、環状板部２２と、係合部２３とを有し、台面１１の一部分を覆う。カバー部材２０の形状はリング状である。
【００１５】
周壁部２１は、図２に示すように、内周面２１ａを有する。内周面２１ａは、台板部材１０の外周面１２に対向する。環状板部２２は、周壁部２１の一端側に連設されており、周壁部２１の内周側に突出している。環状板部２２は、中空部２２ａを有し、中空部２２ａを通して装飾シートＳを視認可能である。係合部２３は、台板部材１０に係合する。アーム部材３０は、図１に示すように、筆記具本体１（具体的には軸筒３）に沿って延びており、台板部材１０と筆記具本体１（具体的には軸筒３）とを連結する。アーム部材３０は、当該筆記具を胸ポケットに留めるクリップとして機能する。
【００１６】
また、支持部２は、図２に示すように、装飾シートＳを保護する保護シート４０を支持可能である。保護シート４０は、装飾シートＳの表面４を覆うように、カバー部材２０の環状板部２２と装飾シートＳとの間に配設される。保護シート４０は、例えば透明な樹脂板材から形成される。
【００１７】
［台板部材１０］
次に、図１〜図３を参照して、台板部材１０を詳細に説明する。
【００１８】
台板部材１０は、図２に示すように、外周面１２に１又は複数の凹部１２ａを有する。実施形態では、３つの凹部１２ａが、周方向に等間隔で形成されている。３つの凹部１２ａは、外周面１２における筆記具本体１側の角部に形成されている。また、台板部材１０は、外周面１２にアーム部材３０の一端部が接続される。
【００１９】
台板部材１０の台面１１は、図３に示すように、概略円形形状を有する。台面１１の法線方向は、カバー部材２０の軸方向Ｘと略同一の方向であり、筆記具本体１の中心軸Ｘ１に対して略垂直である。台面１１は、台板部材１０における表裏の２つの主面のうち反筆記具本体１側の主面に形成される。また、台面１１において、装飾シートＳ、保護シート４０の位置を固定するように、台面１１の外周縁に沿って１又は複数の環状段部１２ｂが形成されてもよい。
【００２０】
［カバー部材２０］
次に、図１〜図４を参照して、カバー部材２０を詳細に説明する。図４は、実施形態に係るカバー部材２０を示す斜視図である。図４（ａ）は、カバー部材２０を環状板部２２の外側面の方から見た斜視図であり、図４（ｂ）は、カバー部材２０を環状板部２２の内側面の方から見た斜視図である。
【００２１】
カバー部材２０は、図４に示すように、係合部２３としての１又は複数の凸部を有する。また、周壁部２１には、切欠き部２１ｂが形成される。係合部２３としての１又は複数の凸部は、１又は複数の凹部１２ａに嵌合可能に、周壁部２１の内周面２１ａに形成される。実施形態では、係合部２３としての３つの凸部が、周方向に等間隔で形成されている。３つの凸部は、周壁部２１の内周面２１ａにおける筆記具本体１側の端部に形成される。
【００２２】
また、係合部２３としての１又は複数の凸部は、図３に示すように、カバー部材２０の軸方向Ｘに対して傾いた斜面部２３ａと、軸方向Ｘに対して略垂直な垂直部２３ｂとを有する。垂直部２３ｂは、斜面部２３ａに対して、軸方向Ｘの環状板部２２側に配設される。カバー部材２０を台板部材１０に装着する際には、斜面部２３ａを外周面１２の角に当接させ、周壁部２１を外周側に撓ませる。そして、係合部２３が凹部１２ａに達するまでカバー部材２０を押し込むと、垂直部２３ｂが凹部１２ａの周壁面に係合し、カバー部材２０が台板部材１０に係止される。
【００２３】
［アーム部材３０］
次に、図３及び図４を参照して、アーム部材３０を詳細に説明する。アーム部材３０は、平板状又は棒状の部材であり、図３に示すように、一端側で台板部材１０の外周面１２に接続され、他端側で筆記具本体１（具体的には上端部３ｄ）に接続される。また、アーム部材３０は、周壁部２１の切欠き部２１ｂに通される。アーム部材３０が、切欠き部２１ｂに通されることによって、係合部２３としての１又は複数の凸部が、１又は複数の凹部１２ａに対して位置決めされる。
【００２４】
以上、図１〜図４を参照して説明したように、本実施形態によれば、カバー部材２０の環状板部２２が周壁部２１の内周側に突出しており、係合部２３が台板部材１０に係合する。従って、カバー部材２０によって、装飾シートＳを安定的に保持することができ、装飾シートＳによる装飾性を安定的に維持できる。また、アーム部材３０が、筆記具本体１を胸ポケットに留めるクリップとして機能するので、装飾シートＳを胸ポケットの前で保持することができ、服装の装飾性を高めることができる。
【００２５】
また、図２を参照して説明したように、本実施形態によれば、台板部材１０が、外周面１２に１又は複数の凹部１２ａを有しており、カバー部材２０の係合部２３が、１又は複数の凹部１２ａに嵌合可能に形成された１又は複数の凸部である。従って、凹部１２ａに凸部を嵌めるだけの簡単な操作によって、カバー部材２０を台板部材１０に係止することができる。
【００２６】
また、図２を参照して説明したように、本実施形態によれば、周壁部２１が、アーム部材３０を通す切欠き部２１ｂを有する。従って、カバー部材２０の厚みが大きくなるのを防止でき、支持部２を薄型化できる。また、切欠き部２１ｂにアーム部材３０を通すだけで、係合部２３としての１又は複数の凸部を１又は複数の凹部１２ａに対して位置決めすることができ、係合部２３を台板部材１０に係合する操作を容易にすることができる。
【００２７】
以上、図面（図１〜図４）を参照しながら本考案の実施形態を説明した。但し、本考案は、上記の実施形態に限られるものではなく、その要旨を逸脱しない範囲で種々の態様において実施することが可能である。
【符号の説明】
【００２８】
Ｓ…装飾シート
１…筆記具本体
２…支持部
４…表面
５…背面
１０…台板部材
１１…台面
１２…外周面
１２ａ…凹部
２０…カバー部材
２１…周壁部
２１ａ…内周面
２１ｂ…切欠き部
２２…環状板部
２３…係合部
３０…アーム部材
【図１】
0003214857.tif 000003
【図２】
0003214857.tif 000004
【図３】
0003214857.tif 000005
【図４】
0003214857.tif 000006